(57)【要約】【課題】ライトオン・コンピュータにおいて入出力スクリーンのカバーを開けることなくスクリーン上の注意的情報の確認・操作を可能とする。【解決手段】ハウジング１２に実装した入出力スクリーン１４を覆ってこれを保護する第１の位置と、前記入出力スクリーンを露出して使用可能とする第２の位置との間で移動可能のカバー１６に、カバー閉鎖時に入出力スクリーン１４上に表示される情報を視認可能な窓２０を設けてある。また、該窓２０を介してコンピュータに入力することが出来る。カバーは、ハウジング背面に回りこみ、コンピュータ使用時の占有面積を小さくすることができる。【選択図】図１
2004145893.tif 000002
【特許請求の範囲】
【請求項１】
　　マイクロプロセッサと入出力スクリーンとを備えたライトオン・コンピュータの使用者の操作を容易にする方法において、
　　(a) 前記コンピュータが使用されていないときは前記入出力スクリーンを覆ってこれを保護するとともに透明な媒体部分を備える、前記ライトオン・コンピュータに結合されたカバーを用意するステップ、
　　(b) 前記マイクロプロセッサにより実行されるプログラムが前記使用者の注意を喚起するときに、可聴警告信号を発するステップ、
　　(c) 前記プログラムが注意を喚起している内容を示す指標を、前記透明な媒体部分を通して視認できる前記入出力スクリーンの部分に表示するステップ、および
　　(d) 前記カバーの前記透明媒体介して前記入出力スクリーンより入力を受信するステップ、
　　を備えるライトオン・コンピュータの操作容易化方法。
【請求項２】
　さらに、
　(e) 前記カバーを開いて前記コンピュータの背面に回りこませ前記入出力スクリーンに入力するステップを備える請求項１記載のライトオン・コンピュータの操作容易化方法。
【請求項３】
　前面入力は前記コンピュータに備えられたスタイラスを使用して送信されることを特徴とする請求項１または請求項２のいずれかに記載のライトオン・コンピュータの操作容易化方法。
【発明の詳細な説明】
【技術分野】
【０００１】
　本発明はポータブル・コンピュータに関するものであり、より詳細にいえば、コンピュータのディスプレイ・カバーを開ける前に、ユーザとポータブル・コンピュータとの相互操作を容易にする方法および装置に関するものである。
【背景技術】
【０００２】
　ポータブル・コンピュータは、ラップトップ式、ノートブック式、パームトップ式およびライトオン式のコンピュータを含む多様なスタイルで利用可能なものである（後者のものは、スレート・コンピュータまたはペン・コンピュータとして様々なものも知られており、英数字キーボードが不要であるという特徴がある）。ある種のポータブル・コンピュータには、ヒンジ式のディスプレイ・カバーによって酷使から保護される ＬＣＤ またはその他のフラットパネル・ディスプレイが設けられている。
【０００３】
　これら先行技術のディスプレイ・カバーの好例は、意匠特許第３２１，８６５号に示されている構造のものであり、ここではヒンジ式のプラスチック・プレートが横たわって、ライトオン式のコンピュータのディスプレイを保護している。別の共通の構造のものは、意匠特許出願第６５２，７４３号に示されており、ここでは、パームトップ式のコンピュータのディスプレイが、それに隣接して折り畳まれた（キーボードのような）コンピュータの別の構成部によって保護されている。
【発明の開示】
【発明が解決しようとする課題】
【０００４】
　これらの構造の全ては、共通の欠点による問題がある。カバーが閉じているときには、ユーザとコンピュータとの相互作用のために実質的に用意されたものはない（ある種のコンピュータでは、カバーが閉じているときにユーザに警笛などで知らせることができる。）後から開示されるように、これはコンピュータの能力を不必要に悪化させるものである。したがって、本発明の目的は、カバーが閉じていてもユーザとコンピュータとの相互作用がおこなえる方法を提供することにある。
【課題を解決するための手段】
【０００５】
　本発明の一つの局面によれば、コンピュータに設けられるディスプレイ・カバーは、カバーが閉じているときでも、カバーの一部から、コンピュータの視認、ある場合には、指先またはペンによる操作を可能にするものである。このようなコンピュータにはタッチ応答式の入力デバイスを設けることも可能であり、これもディスプレイ・カバーを開けることなしに、コンピュータからの警告をユーザが認めることが可能となる。多くの実施例において、コンピュータには、その操作を容易にするための改良されたディスプレイ・カバーのヒンジが設けられている。
【０００６】
　本発明の先行のおよび付加的な特徴および利点は、添付の図面を参照して進行する以下の詳細な説明から、より容易に明かにされる。
【発明を実施するための最良の形態】
【０００７】
　図１および図１Ａを参照すると、本発明の第１の実施例に係るライトオン・コンピュータ１０に含まれているものは、ハウジング１２，マイクロプロセッサ１３，ハウジング内に搭載され、マイクロプロセッサに接続されている入出力スクリーン１４，および、第１および第２の位置の間で可動にされているカバー１６である。カバー１６は、第１の位置においては、入出力スクリーンの上に横たわり、それを損傷から保護している。第２の位置においては、その使用のために、カバーは入出力スクリーンを露出させる。
【０００８】
　この好適な実施例において、カバーにはウインドウ１８が形成され、これは、カバー１６がスクリーン上に横たわっているときでも、入出力スクリーン１４の一部がユーザによって観察されることを許容するものである。このウインドウに設けることができる透明な硬質の媒体２０は、それを通して観察することを許容しながら、スクリーンを損傷から保護する作用をするものである。もっとも、このような透明な媒体は省略することができる。
【０００９】
　ウインドウ１８は、コンピュータを使用していないときでも駐在するソフトウエア・アプリケーションに関連して、特定のアプリケーションを見出すようにされる。その好例としてのソフトウエアによるアポイントメント・カレンダーには、到来するアポイントメントに関するデータをユーザがロードするようにされる。多くのこのようなプログラムに含まれているアラームとしての特徴は、コンピュータがアイドル状態以外のときであっても、緊急のアポイントメントに対してユーザに警告を出すようにされる。駐在型のソフトウエア・アプリケーションの別の例は、到来するメッセージに対してユーザに警告を出す電子メール通信のプログラムである。
【００１０】
　従来は、このようなプログラムでは、可聴トーンの警告デバイスを起動させていた。ユーザは、これに応答してコンピュータを開けてスクリーンを観察し、該可聴型の警告の内容を判断していた。
【００１１】
　本発明のこの実施例によれば、ソフトウエアは可聴型の警告デバイス２１を起動させるだけではなく、ウインドウを通して可視にされるスクリーン１４の部位２２上に例示的なメッセージを表示するようにもされる。ユーザは、コンピュータを一瞥することにより、該コンピュータを開くという努力を払うことなく、警告の内容を判断することができる。
【００１２】
　警告のメッセージに加えて、このウインドウによれば、機器の状態に関する情報を送ることもできる。一つのこのようなアプリケーションにおいては、バッテリ・チャージに関係する情報が表示される。別の例としては、コンピュータが、デスクトップ型のドッキングステーションと連結して使用され、ネットワークに接続されているような場合には、該ウインドウは、ネットワーク上のメッセージの送受に関する情報を表示するために使用することができる。このような構造により、例えば、電子メールその他のネットワーク・データをコンピュータに対してダウンロードしている間、ユーザがうっかりコンピュータをドッキングステーションから切離すことを回避できる。
【００１３】
　メッセージがユーザの応答（即ち、確認）を求めているときには、ユーザは、カバーを開けることなく、このような応答ができる。ウインドウに透明な媒体が含まれていない実施例においては、ユーザは、スクリーンの露出した領域上でスタイラスペンを用いることにより応答の効果を奏することができる。例えば、到来するアポイントメントまたは到来するメッセージの報告が可視的なメッセージでなされ、同じ事項に関する更に別の警告をコンピュータが発することを防止するために受け入れの確認をユーザが所望しているときには、ユーザは、確認の効果を奏するために、スクリーン上で単にチェックマークを描くことができる。
【００１４】
　この同じ能力は、スタイラスペンが接触して動作するのでなく近接して動作するものであるときには、透明な媒体で保護されたウインドウを備えたコンピュータにおいても達成できる。近接型のスタイラスペンは、該当の技術分野では周知のものであり、例えば、スタイラスペンの先端における導体を選択的に通電させる、バッテリ電力による回路を含ませることができる。ＬＣＤスクリーンの下部に配列されたセンサー素子は、結果として生じる磁界を感知して、スタイラスペンの位置を指示するデータを生成する（誘導性のものではなく、容量性のカップリングを用いた関連のシステムも知られている）。Phoenix, Arizona の KurtaCorporation はこのような機器の供給業者であり、本発明において用いるために適当なスタイラス・センサー技術について、第４，６７２，１５４号、第４，６６１，６５６号、第４，６１６，１０６号および第４，４９２，８１９号を含む多くの特許の所有権者である。
【００１５】
　ユーザの警告の確認は、押しボタンまたは容量性スイッチのようなタッチ応答性の入力デバイスを介して効果を生じることができる。望ましくは、このような入力デバイスは、カバー１６を開けることなくアクセスできる場所に搭載される。例示した実施例においては、約 ０．２５ インチ（約０．６４ｃｍ） のボタン径を有する押しボタン・スイッチ１７は、ハウジングの左側部上に搭載されており、頂部から約 １ インチ（約２．５４ｃｍ） 下にされている。このスイッチは、（可聴または可視のいずれにせよ）警告の確認を促すためポーリングされるマイクロプロセッサの入力に接続されている。
【００１６】
　関連のある実施例において、警告の確認を受け入れるために他のセンサを用いることができる。人によっては、コンピュータが確認の効果を衝撃的に受けるように、バイブレーション・センサを採用することに満足することがある。
【００１７】
　（ここで認識されることは、これらの警告の確認の特徴は、入出力スクリーンを保護するためのカバーを採用しないライトオン・コンピュータにおいてさえも実施できることである。）
【００１８】
　スクリーン１４の部位２２上の警告メッセージのサイズおよび配置は、該当のアプリケーションのプログラミング技術における当業者にとって、優にその能力の範囲に入るものである。一般的なグラフィカル・ユーザ・インタフェース・オペレーティング・システムに関連したアプリケーション開発用のツールとして、メッセージ・ウインドウのサイズおよび配置のための簡単なコマンドが用意される。
【００１９】
　バッテリ節約用の回路を含んでいる多くのポータブル・コンピュータは、ある所定の期間にわたって該コンピュータがアイドル状態にあるとき、または、カバーが閉じられているときにはスクリーンが空白にされる。本発明のこの局面によれば、ウインドウ・メッセージがユーザに対して与えられるべきときには、スクリーンが少なくとも一時的に再起動される。
【００２０】
　機械的な構造の詳細について説明すると、図１におけるカバー１６は、ダブル・ピボット・ヒンジ２４によってハウジング１２の頂部に結合されている。図２および図３に示されているように、このヒンジにはケース内に形成された円筒状のリング・ベアリング２６が含まれており、その上には円環状のリング２８が乗せられている。リング２８に含まれているフィンガー３０により、カバー１６内のソケット３２に係合される。一対のこのようなリング／ベアリングの組立体は、ハウジングの各側部において一つずつ用いられる（該リングは明かに図面で示されているよりも狭くすることができる）。カバーの底部は磁気閉止手段によってハウジングに対して着脱可能に取り付けることができる。ここで認識されることは、ダブル・ピボット・ヒンジの配列により、コンピュータの背面に対してカバーを同一面に折り畳むことが許容され、付属物により通常生じるコンピュータの占有面積の増大を招くことなく、ディスプレイ・カバーの保護をする利点が付与される。
【００２１】
　望ましくは、ダブル・ピボット・ヒンジ２４を構成するピボットの一つには戻り止め機構が含まれていて、一つまたは複数の所定の角度位置にあるときに、自由回転に対してピボットを固定させる。好適な実施例において、該戻り止めの位置は、ベアリング上のリングの移行終点位置に設けられる。このような戻り止めにより、コンピュータは、図４で描かれているようなイーゼル状の態様で安定的に配列されることが許容され、カバーがハウジングを支えるようにされる。この配列において、カバーの底部エッジ３１は、安定性を増すために、非潤滑性のエラストマーで設けることができる。このイーゼル状の位置により、コンピュータのある所定の使用が容易にされる。
【００２２】
　図５に示されたライトオン・コンピュータには、本発明の第２の実施例に係るダブル・ピボット・ヒンジが組み込まれており、ここでのリング・ベアリング３４はハウジングのエッジに向けて伸長している。リング３６およびディスプレイ・カバー３８は、図２の要素２８および１６に対応している。
【００２３】
　図６に示されたライトオン・コンピュータ４０には、本発明の第３の実施例に係るダブル・ピボット・ヒンジが組み込まれている。図１−図５においては、カバーはそのエッジにおいて、独立して回動する２つのピボットで保持されているが、図６においては、ピボットは構造的に接続されていて、一体に回転する。このことは、一対のリング／ベアリング２８／２６の組立体ではなく、心棒４２を使用することによって達成される。
【００２４】
　心棒４２はコンピュータ４０の頂部を横切って伸長し、ジャーナルその他の手段で搭載されて、回転移動が許容されている。心棒から突出したフィーチャー４４ には、ピボット・フィンガー４６が含まれている。図１の実施例におけるように、カバーはこれらのフィンガー上に枢軸的に搭載されている。心棒の回転につれて、２つのフィンガー４６は一体に移動する。この一体の移動により回転ずれが回避されるが、この現象は２個の間隔をおかれたヒンジの独立した移動に起因するものであり、該ヒンジの結合で解決される。
【００２５】
　心棒４２には望ましくは軸上孔部５０が含まれており、その内部にスタイラスペン５２を備えることができる。
【００２６】
　図６の実施例において、心棒は外部的なものであり、コンピュータの外部表面の一部を形成している。図７に示されている関連の実施例においては、該心棒はコンピュータ・ハウジングの内部に配置されている。この実施例において、該ハウジングにはスロット５４が設けられており、フィ−チャ−４４ がこれを通して伸長して、カバーと結合するようにされる。また、図７に示されている代表的な係止機構５６は、心棒をその自由回転に反して固定するために用いることができる。この例示された係止機構に含まれているニブ５８は、心棒上の平板状の表面６０に対して、スプリング６２によって圧迫されている。
【００２７】
　図８に示されているものは、現状において好適なダブル・ピボット・ヒンジ６３である。この配列においては、回転ずれを回避するために、（受け台６８において支持されたショルダー６５を備えた）一対のプラスチック・リング６４が、硬質のスチール・ワイア７０と物理的に相互接続されている。カバー６６はワイア上に枢軸的に搭載されている。
【００２８】
　硬質のワイア７０は種々の取り付け手段によってリング６４に接続することができる。ところで、好適な取り付け手段としては、ワイアの端部を７２で示された構成に形成することによって実施されるものであり、該形成されたワイアの周囲では、プラスチック・リング６４をモールドして挿入するようにされる。この配列によれば、他の取り付け技術を越えて、優れた強度が付与される。
【００２９】
　ワイア７０に対するカバー６６の取り付けも、種々の手段によって達成することができる。その好適な技術は、カバーをツー・ピース構成にすることである。即ち、一つのベース・ピースおよび一つのトップ・ピースで構成し、両者の共同により孔部を形成して、これを介してワイアが通るようにされる。そして、これらはワイアの周囲で超音波的に溶融される。
【００３０】
　この実施例において、カバー６６の厚みは ３．８ ｍｍ であり、また、ワイアの厚みは １．５ ｍｍ である。カバーの頂部エッジにおいては、ワイアを含むようにトップ・ピースおよびボトム・ピースが溶融された場所であるが、そこには厚み ４．５ ｍｍ の張り出し部がある。コンピュータのハウジングの厚みは ２６ ｍｍ である。２個のピボット心棒間の距離（即ち、リング６４とワイア７０との間の中心から中心までの法線距離）は、カバーがその閉じた位置にあるときに、該カバーの頂部とハウジングとの間隔が ０．５ ｍｍ になるのに十分な大きさのものである。このギャップのために、その製造上の公差に係わらず、カバーが結合しないことが確実にされる。
【００３１】
　例示のハウジングおよびカバーは、ポリカーボネート／ＡＢＣ・プラスチックで構成されている。そして、リング６４および関連の受け台６８は、テフロン含浸型のプラスチックまたはシリコン含浸型のプラスチックのような自己潤滑性の材料で構成されている。
【００３２】
　図８Ａおよび図８Ｂに示されているように、ワイア７０に枢止されたカバー６６において、ワイアを僅かに曲げるかひねると共に、カバーの孔部の内壁に、この曲げたあるいはひねった部分に適合する小さいスロットもしくは刻み目７３を設けることにより、戻り止めの手段が実現できる。カバーがワイアの周囲を回転してある所定の位置に至るときには、曲げられ／ひねられたワイア（これは通常はまっすぐの孔部に対して規制されるものであるが），スロットもしくは刻み目内に伸長することが可能にされ、更に回転することに抵抗して、増大したトルクがなくなる。
【００３３】
　図７に描かれている同じ配列により、即ち、リング６４に抗して放射状に指向されているスプリング係止部を用いることにより、ハウジングに対するワイアの枢軸的な搭載における係止を行うことができる。代替的に、ショルダー６６の側部に抗するように軸方向に指向された係止部も用いることができる。必要ならば、ダブル・ピボット・ヒンジを構成するピボットの双方について、それらに固有の係止機構を備えることができる。
【００３４】
　図９−図１３に示されているライトオン・コンピュータ７４は、フリップ・アラウンドタイプのダブル・ピボット・ヒンジ７６を用いたものである。この配列において、カバー７８は第１のピボット８２によって中間部材８０に接続されている。該中間部材は、これに次いで、第２のピボット８６によってコンピュータ・ハウジングに対して枢軸的であるようにされる。
【００３５】
　第１のピボット８２に含まれているカバー内のソケットは、中間部材から伸長しているフィンガー９０と共同して、該中間部材のエッジの周囲でカバーに枢軸的な動きを与える。
【００３６】
　第２のピボット８６には、ハウジング８４のボス９４部位内のスロット９２が含まれていて、中間部材８０から伸長しているフィンガー９６との共同作業をする。図１１で最も良好に示されているように、スロット９２によれば、第２のピボット８６がコンピュータの頂部表面９８に沿って前後にスライドすることが許容される。この配列によれば、コンピュータの頂部表面に関して、中間部材の直線的な移動および枢軸的な移動が許容される。
【００３７】
　中間部材８０に更に含まれているスライド・ラッチ１００は、スライド可能に搭載されたサム・グリップ１０２からなるものであり、それから伸長したロッキング・ピン１０４を備えている。サム・グリップ１０２は両面性のものであり、中間部材のいずれの表面がコンピュータ・ハウジングに対面しているか、および、使用のために露出されているかには係わりなく、ラッチ１００の動作を許容している。
【００３８】
　その動作において、中間部材８０は、その２個の表面のいずれかがコンピュータの頂部表面９８に接するように、（第２のピボット８６の周囲で）フリップ動作することができる。そして、該中間部材は、サム・グリップをコンピュータの外部エッジに向けて圧迫することにより、この位置に固定することが可能にされて、スロット９２内のロッキング・ピン１０４に係合するようにされる。中間部材のいずれの表面がコンピュータに隣接しているかに依存して、カバー・ピボット８２は、コンピュータの前面または背面のいずれかに隣接して配置される。前者の位置においては、カバーは、ディスプレイの上に横たわるように下方に折り畳まれる。後者の位置においては、カバーは、コンピュータの背部に対して同じ平面に折り畳まれ、ユーザの範囲から外れる。
【００３９】
　図１に示されているコンピュータと同様に、図９のコンピュータに含まれているものは、ハウジング内で規定される孔部１０８にスタイラス１０６を備えるためのものである。ただし、図９における孔部は、カバー・ヒンジの軸に対して平行にではなく、これに対して直交して配置されている。
【００４０】
　前記されたことから認識されることは、本発明に係るコンピュータにより多くの重要な利点が付与されることである。本発明に係るディスプレイ・カバー・ウインドウを含んでいるコンピュータによれば、始めにディスプレイ・カバーを開くことをユーザに要求することなく、ユーザに対して通信をすることが許容され、また、場合によってはユーザからの通信をすることが許容される。警告の確認手段を含んでいるコンピュータによれば、これも始めにディスプレイ・カバーが開かれることを要求することなく、ユーザとの相互作用が更に容易になる。本発明に係るダブル・ピボット・ヒンジのカバーを組み込んでいるライトオン・コンピュータによれば、付属物によるコンピュータの占有面積の増大を招くことなく、ディスプレイ・カバーの保護をする利点が付与される。スチール・ワイア上に射出成形されたプラスチックを組み込んでいるヒンジは、プラスチックだけまたはスチールだけの部品に比べて、遥かに厳しい製造上の公差内にあることが維持される。
【００４１】
　好適な実施例を参照しながら、本発明の原理について説明および例示をしてきたが、ここで明かであるべきことは、本発明は、このような原理から逸脱することなしに、配列および詳細事項において修正可能なことである。例えば、本発明は、コンピュータ・ハウジングの頂部に固定されたカバーに関して例示されていたけれども、ここで認識されることは、カバーは代替的にハウジングの側部に固定できることである。ディスプレイの側からの入射光が他の事情でまぶしさを生じるような状況においては、このような配列によれば有利なシェード機能を果たすことができる。ディスプレイにシェードをかけるための、本発明のカバーについての別の適応は、当業者にとっては明かなことである。
【００４２】
　同様にして、本発明の例示は、ダブル・ピボット・ヒンジにより、コンピュータの前部または後部に対して平面にすることが可能なカバーに関してなされたものであるが、ここで認識されることは、代替的な配列によって同様な利点を達成できることである。一つのこのような配列においては、カバーのサイド・エッジが、コンピュータの前部または後部において形成された一対の対応するトラックと、スライド可能に係合するように適応される。この配列により、カバーはその前部からスライドすることが可能であって、ディスプレイが露出し、その後で背面上のトラックに挿入されて、該カバーを所定の範囲外に固定するようにされる。
【００４３】
　本発明の更に別の実施例において認識されることは、ダブル・ピボット・ヒンジなしで、ウインドウおよび／または警告確認の特徴をコンピュータ内に採用できることである。
【００４４】
　本発明の原理を付加することができる多くの可能性のある実施例に鑑みて認識されるべきことは、詳細な実施例は例示的なものでしかなく、本発明の範囲を限定するものとしてとられるべきではないことである。むしろ、全てのこのような実施例は、添記の特許請求の範囲の欄の記載事項およびその等価のものの範囲および精神に入るべきものと主張するところである。
【図面の簡単な説明】
【００４５】
【図１】本発明の第１の実施例によるライトオン・コンピュータの斜視図である。
【図１Ａ】図１のコンピュータの概略的な機能ブロック図である。
【図２】ライトオン・コンピュータにおけるダブル・ピボット・ヒンジを示す図１の要部拡大図である。
【図３】図１のライトオン・コンピュータの断面図である。
【図４】図１のライトオン・コンピュータをイーゼル状に使用する例を示す側面図である。
【図５】本発明の第２の実施例によるダブル・ピボット・ヒンジを組み込んだライトオン・コンピュータの斜視図である。
【図６】本発明の第３の実施例によるダブル・ピボット・ヒンジを組み込んだライトオン・コンピュータの斜視図である。
【図７】図６の分解斜視図である。
【図８】本発明の第４の実施例によるダブル・ピボット・ヒンジを組み込んだライトオン・コンピュータの分解斜視図である。
【図８Ａ】図８の実施例で用いるのに好適な係止用配列を示す軸線方向の断面図である。
【図８Ｂ】図８Ａの８Ｂー８Ｂ線における断面図である。
【図９】本発明の第５の実施例によるライトオン・コンピュータの斜視図である。
【図１０】図９のフリップ・アラウンドのダブル・ピボット・ヒンジを示す側面図である。
【図１１】図９のコンピュータで用いられるフリップ・アラウンドのダブル・ピボット・ヒンジの要部拡大斜視図である。
【図１２】図１１のダブル・ピボット・ヒンジを示す一部を破断した上面図である。
【図１３】図１２の１１ー１１線における断面図である。
【符号の説明】
【００４６】
１０：ライトオン・コンピュータ
１２：ハウジング
１３：マイクロプロセッサ
１４：入出力スクリーン
１６：カバー
１７：押しボタン・スイッチ
１８：ウインドウ
２０：透明な媒体
２１：可聴型警告デバイス
２２：ダブル・ピボット・ヒンジ
【図１】
2004145893.tif 000003
【図１Ａ】
2004145893.tif 000004
【図２】
2004145893.tif 000005
【図３】
2004145893.tif 000006
【図４】
2004145893.tif 000007
【図５】
2004145893.tif 000008
【図６】
2004145893.tif 000009
【図７】
2004145893.tif 000010
【図８】
2004145893.tif 000011
【図８Ａ】
2004145893.tif 000012
【図８Ｂ】
2004145893.tif 000013
【図９】
2004145893.tif 000014
【図１０】
2004145893.tif 000015
【図１１】
2004145893.tif 000016
【図１２】
2004145893.tif 000017
【図１３】
2004145893.tif 000018